(57)【特許請求の範囲】
【請求項１】
栽培ハウス内の栽培棚の上下動構造であって、
長さ方向複数個所に第１の吊り下げ用紐又はワイヤを取り付けた第１の栽培棚と、長さ方向複数個所に第２の吊り下げ用紐又はワイヤを取り付けた第２の栽培棚と、を幅方向に交互に配置して構成した栽培棚構造と、
長さ方向の位置が同じ前記第１の吊り下げ用紐又はワイヤを間隔をあけて巻き取り及び巻き戻し可能に接続した幅方向に延びる第１の巻き上げシャフトを、長さ方向で複数本配置して構成した第１の巻き上げシャフト構造と、
長さ方向の位置が同じ前記第２の吊り下げ用紐又はワイヤを間隔をあけて巻き取り及び巻き戻し可能に接続した幅方向に延びる第２の巻き上げシャフトを、長さ方向で複数本配置して構成した第２の巻き上げシャフト構造と、
前記第１の巻き上げシャフト構造の前記第１の巻き上げシャフトのそれぞれと長さ方向複数個所で第１の接続構造を介して接続された第１の駆動シャフトと、
前記第２の巻き上げシャフト構造の前記第２の巻き上げシャフトのそれぞれと長さ方向複数個所で第２の接続構造を介して接続された第２の駆動シャフトと、
前記第１の駆動シャフトを回転駆動する第１の駆動装置と、
前記第２の駆動シャフトを回転駆動する第２の駆動装置と、を備え、
前記第１の接続構造はそれぞれ、前記第１の駆動シャフトの回転力を前記第１の巻き上げシャフトに伝達して前記第１の巻き上げシャフトを回転させるように構成され、前記第２の接続構造はそれぞれ、前記第２の駆動シャフトの回転力を前記第２の巻き上げシャフトに伝達して前記第２の巻き上げシャフトを回転させるように構成されている、ことを特徴とする栽培棚の上下動構造。
【請求項２】
前記第１の接続構造及び前記第２の接続構造はそれぞれ、減速器及びギアボックスを有している、ことを特徴とする請求項１記載の栽培棚の上下動構造。
【発明の詳細な説明】
【技術分野】
【０００１】
本発明は栽培ハウス又は栽培温室内に配置された栽培棚を上下動させる栽培棚の上下動構造に関する。
【背景技術】
【０００２】
栽培ハウス内に栽培棚を多数平行に配置する場合には、それぞれの栽培棚への均等な採光を確保するために栽培棚を所定の間隔を設けて配置する必要があるが、各栽培棚に対する芽かき、葉かき及び収穫などの栽培作業を作業員が円滑に遂行できるようにするためには、図８に示すように、栽培ハウスＡ内の栽培棚Ｂの間隔Ｌを大きくする必要がある。しかしながら、栽培棚の間隔を大きくすれば栽培ハウス内の有効栽培面積が小さくなるので栽培効率が低下してしまう。
【０００３】
そこで、栽培棚の間隔を小さく設定するとともに、各栽培棚に対する栽培作業の円滑化を達成するために、例えば特許文献１に記載されているような栽培棚の上下動構造が採用されている。
【０００４】
特許文献１に記載されているような栽培棚の上下動構造を用いれば、栽培棚を密に又は均等な採光に必要な最小限の間隔を設けて配置しておいても隣り合う栽培棚の一方を上昇させて他方に対する作業スペースを確保できるので、広い有効栽培面積の確保と栽培作業の効率化とを達成できる。
【先行技術文献】
【特許文献】
【０００５】
【特許文献１】特開２００５−１３０４７号公報
【発明の概要】
【発明が解決しようとする課題】
【０００６】
しかしながら、特許文献1に記載された栽培棚の上下動構造では、隣り合う一対の栽培棚をシーソー状に上下動させているので、栽培棚の上下位置を任意に設定するのが困難である。しかも、一対の栽培棚ごとに回転軸構造を設けているので、栽培棚が多数になると栽培棚の上下動構造が複雑なものとなってしまう。
【０００７】
そこで本発明は、栽培棚の上下位置の調整機能に優れ、しかも、例えば簡単な構造のものとして構成することが可能な栽培ハウス内の栽培棚の上下動構造の提供を目的とする。
【課題を解決するための手段】
【０００８】
この目的を達成するための本発明の栽培ハウス内の栽培棚の上下動構造は、栽培ハウス内の栽培棚の上下動構造であって、長さ方向複数個所に第１の吊り下げ用紐又はワイヤを取り付けた第１の栽培棚と、長さ方向複数個所に第２の吊り下げ用紐又はワイヤを取り付けた第２の栽培棚と、を幅方向に交互に配置して構成した栽培棚構造と、長さ方向の位置が同じ前記第１の吊り下げ用紐又はワイヤを間隔をあけて巻き取り及び巻き戻し可能に接続した幅方向に延びる第１の巻き上げシャフトを、長さ方向で複数本配置して構成した第１の巻き上げシャフト構造と、長さ方向の位置が同じ前記第２の吊り下げ用紐又はワイヤを間隔をあけて巻き取り及び巻き戻し可能に接続した幅方向に延びる第２の巻き上げシャフトを、長さ方向で複数本配置して構成した第２の巻き上げシャフト構造と、第１の巻き上げシャフト構造の前記第１の巻き上げシャフトのそれぞれと長さ方向複数個所で第１の接続構造を介して接続された第１の駆動シャフトと、第２の巻き上げシャフト構造の前記第２の巻き上げシャフトのそれぞれと長さ方向複数個所で第２の接続構造を介して接続された第２の駆動シャフトと、前記第１の駆動シャフトを回転駆動する第１の駆動装置と、前記第２の駆動シャフトを回転駆動する第２の駆動装置と、を備え、前記第１の接続構造はそれぞれ、前記第１の駆動シャフトの回転力を前記第１の巻き上げシャフトに伝達して前記第１の巻き上げシャフトを回転させるように構成され、前記第２の接続構造はそれぞれ、前記第２の駆動シャフトの回転力を前記第２の巻き上げシャフトに伝達して前記第２の巻き上げシャフトを回転させるように構成されているものである。ここでは、複数本又は多数本の第１の巻き上げシャフトを１本又は２本程度の第１の駆動シャフトで回転させることができ、複数本又は多数本の第２の巻き上げシャフトを１本又は２本程度の第２の駆動シャフトで回転させることができる。また、第１の栽培棚と第２の栽培棚とを別々に上下動させることができる。
【０００９】
第１の接続構造及び第２の接続構を減速器及びギアボックスを有するように構成することができる。
【発明の効果】
【００１０】
本発明の栽培ハウス内の栽培棚の上下動構造を用いれば、例えば簡単な構造で隣り合う栽培棚を独立して上下動させることができる。
【図面の簡単な説明】
【００１１】
【図１】本発明に係る栽培棚の上下動構造を採用した栽培ハウスを全体的に示す図である。
【図２】栽培棚の上下動構造を示す斜視図である。
【図３】栽培棚の上下動構造の概略構成を示す平面図である。
【図４】栽培棚を一つ置きに上昇させた状態を示す図である。
【図５】栽培棚を一つ置きに上昇させる場合の栽培棚の上下動構造の作動状態を説明するための斜視図である。
【図６】巻き上げシャフトの支持構造を示す図である。
【図７】巻き上げシャフトと駆動シャフトとの交差箇所の構造を示すための拡大図である。
【図８】従来の栽培ハウス内の栽培棚構造を示す図である。
【発明を実施するための形態】
【００１２】
まず、図１、図２及び図３を参照して本発明に係る栽培ハウス内の栽培棚の上下動構造を概略的に説明する。
【００１３】
栽培ハウス１は、透明又は半透明の側壁部（図示せず）、側壁部内に配置された支柱５、支柱５及び側壁部によって支えられた天井部７から構成されたハウス本体９と、このハウス本体９内に構成された栽培棚上下動構造１１と、を備えていて、天井部７には、例えばラックピニオン機構により移動するように構成された移動天井１３によって開け閉めされる窓１５が設けられている。
【００１４】
栽培棚上下動構造１１は、天井部７の下側の梁１７から吊り下げられたサポートパイプ１９と、このサポートパイプ１９に回転可能に支えられている第１の巻き上げシャフト２１及び第２の巻き上げシャフト２３（図２参照、図２ではサポートパイプ１９は省略されている）と、を有する巻き上げシャフト構造体２５を、巻き上げシャフトの延びる方向と直交する方向に複数組配置した構成を有している。複数本の第１の巻き上げシャフト２１は第１の巻き上げシャフト構造体を構成し、複数本の第２の巻き上げシャフト２３は第２の巻き上げシャフト構造体を構成している。栽培棚上下動構造１１はまた、第１の駆動装置２７（取り付け支持部は省略）に接続された第１の駆動シャフト２９及び第２の駆動装置３１（取り付け支持部は省略）に接続された第２の駆動シャフト３３を支柱５に回転可能に取り付けて巻き上げシャフトの延びる方向と直交する方向に配置し、それぞれの第１の巻き上げシャフト２１を第１の駆動シャフト２９と交差する位置で第１の駆動シャフト２９と第１の接続構造３５を介して接続し、それぞれの第２の巻上げシャフト２３を第２の駆動シャフト３３と交差する位置で第２の駆動シャフト３３と第２の接続構造３７を介して接続する構成を有している。第１の駆動シャフト２９及び第２の駆動シャフト３３は若干の間隔を有して平行に延びている。ここでは、栽培棚上下動構造１１は中央の栽培室３９をはさんで２つ構成されていて、それぞれの栽培棚上下動構造１１では第１の駆動シャフト２９と第２の駆動シャフト３３とが一本ずつ設けられているが、それぞれの栽培棚上下動構造１１で複数本の第１の駆動シャフト２９及び第２の駆動シャフト３３を設けることもできる。第１の巻き上げシャフト２１及び第２の巻き上げシャフト２３はそれぞれ、複数本のシャフト部材を連結することにより構成でき、第１の駆動シャフト２９及び第２の駆動シャフト３３も複数本のシャフト部材を連結することにより構成できる。第１の駆動装置２７は第１の駆動シャフト２９の端部又は中間部に配置することができ、第２の駆動装置３１も第２の駆動シャフト３３の端部又は中間部に配置することができる。
【００１５】
それぞれの第１の巻き上げシャフト２１には、所定の間隔をあけて第１の吊り下げ用ワイヤ４１が巻き取り及び巻き戻し可能に接続され、それぞれの第２の巻き上げシャフト２３には、所定の間隔をあけて第１の吊り下げ用ワイヤ４１と互い違いになるように第２の吊り下げ用ワイヤ４３が巻き取り及び巻き戻し可能に接続されている。それぞれの第１の巻き上げシャフト２１に接続されている第１の吊り下げ用ワイヤ４１のうちで、巻き上げシャフトの延びる方向での位置が同一の第１の吊り下げ用ワイヤ４１はそれぞれ、別々のワイヤ群を形成するが、それぞれのワイヤ群に対応して、細長い第１の栽培棚４５が配置されている。第１の栽培棚４５にはそれぞれ、ワイヤ群の第１の吊り下げ用ワイヤ４１と対応するように第１の吊り下げ金具４７が設けられ、ワイヤ群の第１の吊り下げ用ワイヤ４１の下端部がそれぞれ、第１の吊り下げ金具４７の上端部に接続されてこの第１の栽培棚４５を水平状態で吊り下げている。また、それぞれの第２の巻上げシャフト２３に接続されている第２の吊り下げ用ワイヤ４３のうちで、巻き上げシャフトの延びる方向での位置が同一の第２の吊り下げ用ワイヤ４３はそれぞれ、別々のワイヤ群を形成するが、それぞれのワイヤ群に対応して、細長い第２の栽培棚４９が配置されている。第２の栽培棚４９は例えば第１の栽培棚４５と同一の構成を有している。第２の栽培棚４９にはそれぞれ、ワイヤ群の第２の吊り下げ用ワイヤ４３と対応するように第２の吊り下げ金具５１が設けられ、ワイヤ群の第２の吊り下げ用ワイヤ４３の下端部がそれぞれ、第２の吊り下げ金具５１の上端部に接続されてこの第２の栽培棚４９を水平状態で吊り下げている。ここでは、第１の栽培棚４５と第２の栽培棚４９は幅方向に交互に配置されて栽培棚構造を構成している。第１の栽培棚４５及び第２の栽培棚４９にはいちごなどの果物や野菜などが植えられて載置されている。なお、第１の栽培棚４５及び第２の栽培棚４９の付属品は適宜図示を省略している。
【００１６】
次に、図４及び図５を参照して本発明に係る栽培棚上下動構造１１の稼働状態を説明する。
【００１７】
第１の栽培棚４５及び第２の栽培棚４９が図１及び図２に示すように同一の高さ位置で地面５３近くに位置している状態で、第２の駆動装置３１を駆動して第２の駆動シャフト３３を巻き上げ方向に回転させると、第２の接続構造３７を介して第２の巻き上げシャフト２３が同期して巻き上げ方向に回転し、第２の吊り下げ用ワイヤ４３の巻き取りにより第２の栽培棚４９だけを水平状態で上昇させ、第１の栽培棚４５間に第１の栽培棚４５に対する作業スペースＬを形成する。次に、第２の栽培棚４９間に第２の栽培棚４９に対する作業スペースを形成するには、第１の駆動装置２７を駆動して第１の駆動シャフト２９を巻き上げ方向に回転させる。そうすると、第１の接続構造３５を介して第１の巻き上げシャフト２１が同期して巻き上げ方向に回転し、第１の吊り下げ用ワイヤ４１の巻き取りにより第１の栽培棚４５を水平状態で上昇させる。ここで、第２の駆動装置３１を駆動して第２の駆動シャフト３３を巻き戻し方向に回転させると、第２の接続構造３７を介して第２の巻き上げシャフト３３が巻き戻し方向に回転し、第２の吊り下げ用ワイヤ４３の巻き戻しにより第２の栽培棚４９を水平状態で作業位置に下降させる。そうすると、第２の栽培棚４９間に第２の栽培棚４９に対する作業スペースが形成される。ここでは、例えば、第２の栽培棚４９を高く上昇させ、しかも第１の栽培棚４５も作業のしやすさを考慮して若干上昇させることもできる。なお、第２の栽培棚４９を下降させないで、第１の栽培棚４５と第２の栽培棚４９とを高く位置させることができる。
【００１８】
図６を参照してサポートパイプ１９と第１の巻き上げシャフト２１及び第２の巻き上げシャフト２３との接続構造を説明する。
【００１９】
サポートパイプ１９で第１の巻き上げシャフト２１及び第２の巻上げシャフト２３を回転可能に支えるために、第１の巻き上げシャフト２１を回転可能に支える第１のベアリング部５７と、第２の巻き上げシャフト２３を回転可能に支える第２のベアリング部５９と、を有する軸受けベアリング６１をサポートパイプ１９に固定している。なお、第１の巻き上げシャフト２１及び第２の巻き上げシャフト２３の振れ止めのため、第１の巻き上げシャフト２１及び第２の巻き上げシャフト２３と直交する方向に掛け渡した振れ止めワイヤ（図示せず）に軸受けベアリング６１を固定してもよい。
【００２０】
図７を参照して第１の接続構造３５及び第２の接続構造３７を説明する。
【００２１】
第１の駆動シャフト２９及び第２の駆動シャフト３３と第１の巻き上げシャフト２１及び第２の巻き上げシャフト２３との交差位置にはそれぞれ、支柱５が配置されている。第1の接続構造３５は第１の駆動シャフト２９と第１の巻き上げシャフト２１との交差位置ごとに設けられていて、第１の駆動シャフト２９が通されて支柱５に取り付けられている第１のベアリング部６３と、この第１のベアリング部６３に隣接するように第１の駆動シャフト２９の外周に設けられた小径の第１の駆動ホイール６５と、第１の巻き上げシャフト２１が通されて支柱５に取り付けられている第１のギアボックス６７と、この第１のギアボックス６７に取り付けられて第１のギアボックス６７内の歯車構造を回転させる大径の第１の従動ホイール６９と、第１の駆動ホイール６５と第１の従動ホイール６９とに掛け渡された第１の駆動ベルト又はチェーン７１と、を有していて、第１の駆動ホイール６５、第１の従動ホイール６９及び第１の駆動ベルト又はチェーン７１が減速器を構成し、第１のギアボックス６７内の歯車構造を回転させることにより、第１の駆動シャフト２９の回転により第１の巻き上げシャフト２１を減速して回転させるように構成されている。また、第２の接続構造３７は第２の駆動シャフト３３と第２の巻き上げシャフト２３との交差位置ごとに設けられていて、第２の駆動シャフト３３が通されて支柱５に取り付けられている第２のベアリング部７３と、この第２のベアリング部７３に隣接するように第２の駆動シャフト３３の外周に設けられた小径の第２の駆動ホイール７５と、第２の巻き上げシャフト２３が通されて支柱５に取り付けられている第２のギアボックス７７と、この第２のギアボックス７７に取り付けられて第２のギアボックス７７内の歯車構造を回転させる大径の第２の従動ホイール７９と、第２の駆動ホイール７５と第２の従動ホイール７９に掛け渡された第２の駆動ベルト又はチェーン８１と、を有していて、第２の駆動ホイール７５、第２の従動ホイール７９及び第２の駆動ベルト又はチェーン８１が減速器を構成し、第２のギアボックス７７内の歯車構造を回転させることにより、第２の駆動シャフト３３の回転により第２の巻き上げシャフト２３を減速して回転させるように構成されている。第1の接続構造３５は、反対方向を向いて設けられている点以外は第２の接続構造３７と同じ構成を有している。
【符号の説明】
【００２２】
１              栽培ハウス
１１            栽培棚上下動構造
２１            第１の巻き上げシャフト
２３            第２の巻き上げシャフト
２７            第１の駆動装置
２９            第１の駆動シャフト
３１            第２の駆動装置
３３            第２の駆動シャフト
３５            第１の接続構造
３７            第２の接続構造
４１            第１の吊り下げ用ワイヤ
４３            第２の吊り下げ用ワイヤ
【図１】
0006979719.tif 000002
【図２】
0006979719.tif 000003
【図３】
0006979719.tif 000004
【図４】
0006979719.tif 000005
【図５】
0006979719.tif 000006
【図６】
0006979719.tif 000007
【図７】
0006979719.tif 000008
【図８】
0006979719.tif 000009